(57)【要約】【課題】機械ハウジング（１１）、ドリリングスピンドル（４）、及びこのドリリングスピンドル（４）に連結された駆動部（５）を有するドリリング機械（６）と、ドリルチャック（３）とからなるドリリング装置において、ユーザーにとっての使用の快適性を高める。【解決手段】ドリルチャック（３）の締付あご保持体（７）に、相対回転不能に常時接続されたままとなっている調整スリーブ（１３）を備える。この調整スリーブ（１３）は、締付の配置構成と、ドリリングの配置構成との間の切替を行うべく軸方向に位置シフト可能である。締付の配置構成においては、調整スリーブ（１３）が、相対回転不能に機械ハウジング（１１）に接続されて締付あご（１０）の位置・姿勢のシフトを可能にし、ドリリングの配置構成においては、ドリリングスピンドル（４）が、締付あご保持体（７）に、相対回転不能に連結される。【選択図】図１
2015003385.tif 000002
【特許請求の範囲】
【請求項１】
機械ハウジング（１１）、ドリリングスピンドル（４）、及びこのドリリングスピンドル（４）に連結された駆動部（５）を有するドリリング機械（６）と、ドリルチャック（３）とからなり、ドリルチャック（３）には、締付あご（１０）を案内する締付あご保持体（７）と、チャック躯幹体（２）とが備えられ、チャック躯幹体（２）は、ドリリングスピンドル（４）に接続されており、ネジ接続（８）を介して、締付あご（１０）の位置・姿勢をシフトさせる連れ動かし具（９）に接続されているドリリング装置において、
ドリルチャック（３）の締付あご保持体（７）に、相対回転不能に常時接続されたままとなっている調整スリーブ（１３）を備え、
この調整スリーブ（１３）は、締付の配置構成と、ドリリングの配置構成との間の切替を行うべく軸方向に位置シフト可能であり、締付の配置構成においては、調整スリーブ（１３）が、相対回転不能に機械ハウジング（１１）に接続されて締付あご（１０）の位置・姿勢のシフトを可能にし、ドリリングの配置構成においては、ドリリングスピンドル（４）が、締付あご保持体（７）に、相対回転不能に連結されることを特徴とするドリリング装置。
【請求項２】
締付あご保持体（７）における駆動部（５）の側の端面には、少なくとも１つの凹部（１４）が形成されており、調整スリーブ（１３）の端面には、前記凹部（１４）に、形状および数の点で対応する少なくとも１つの突部（１５）が備えられており、前記凹部（１４）と前記突部（１５）とは、締付の配置構成にあるか、ドリリングの配置構成にあるかにかかわらず、噛み合いによる伝動接続をなしていることを特徴とする請求項１に記載のドリリング装置。
【請求項３】
調整スリーブ（１３）に形成される各突部（１５）を横方向から規制する２つの突き当て面（３２）が互いに非平行であることを特徴とする請求項２に記載のドリリング装置。
【請求項４】
ドリリングスピンドル（４）の外周面の側に係止歯切部（２７）が備え付けられており、ドリリングの配置構成において、調整スリーブ（１３）の内周面の側に備え付けられた歯切部（２８）と、係止歯切部（２７）とが、噛み合いによる伝動接続を形成することを特徴とする請求項１〜３のいずれか１項に記載のドリリング装置。
【請求項５】
調整スリーブ（１３）を締付の配置構成からドリリングの配置構成へとシフトさせる作用を行う弾性部材（２９）が備えられることを特徴とする請求項１〜４のいずれか１項に記載のドリリング装置。
【請求項６】
締付の配置構成において、前記調整スリーブ（１３）と前記機械ハウジング（１１）との間に安全クラッチ（１７）が備えられることを特徴とする請求項１〜５のいずれか１項に記載のドリリング装置。
【請求項７】
安全クラッチ（１７）は、その作動のための半径方向への作用を行うカップリングスリーブ（１８）からなり、戻し部材（２２）の力に抗して半径方向外側へと位置シフト可能な係合部材（２３）を受け入れるべく、カップリングスリーブ（１８）の外周面の側には、少なくとも１つの係止着座部（２０）が備えられることを特徴とする請求項６に記載のドリリング装置。
【請求項８】
前記戻し部材（２２）が板状または棒状のバネ部材（２１）によって形成されていることを特徴とする請求項７に記載のドリリング装置。
【請求項９】
クラッチ作用が開始されるトルクを高めるべく、係止部材（２３）とは逆側のバネ部材（２１）の面から、加硫ゴム部材またはその他の樹脂部材により補強されていることを特徴とする請求項７または８に記載のドリリング装置。
【請求項１０】
カップリングスリーブ（１８）の内周面の側に、カップリング歯切り部（１９）が備え付けられ、カップリング歯切り部（１９）は、調整スリーブ（１３）の外周面の側に備え付けられた外向き歯切り部（１６）に、回転不能に連結されることを特徴とする請求項７〜９のいずれか１項に記載のドリリング装置。
【請求項１１】
調整スリーブ（１３）は、機械部ハウジング（１１）の側に備え付けられた制御スリーブ（２５）に連結されている制御ワイヤ（２６）により、軸方向に位置シフト可能であることを特徴とする請求項１〜１０のいずれかに記載のドリリング装置。
【請求項１２】
チャック躯幹体（２）がドリリングスピンドル（４）と一体に形成されていることを特徴とする請求項１〜１１のいずれかに記載のドリリング装置。
【請求項１３】
機械ハウジング（１１）に備え付けられた受入部（１２）により、ドリルチャック（３）が受け入れられており、ドリルチャック（３）の外周面が前記受入部（１２）の内周面から離間していることを特徴とする請求項１〜１２のいずれかに記載のドリリング装置。
【請求項１４】
ドリルチャック（３）の機械ハウジング（１１）に対して回転する部分が、ドリリングスピンドル（４）を介してドリリング機械（６）から支持されていることを特徴とする請求項１〜１３のいずれか１項に記載のドリリング装置。
【発明の詳細な説明】
【技術分野】
【０００１】
本発明は、機械ハウジング、ドリリングスピンドル、及び、このドリリングスピンドルに連結された駆動部を有するドリリング機械と、ドリルチャックとからなるドリリング装置に関する。
【背景技術】
【０００２】
ドリルチャックには、締付あごを案内する締付あご保持体と、チャック躯幹体とが備えられ、チャック躯幹体は、ドリリングスピンドルに接続されており、ネジ接続を介して、締付あごの位置・姿勢（位置及び姿勢の少なくと一方）をシフトさせる連れ動かし具に接続されている。このようなドリリング装置は先行技術により、かなり以前から知られており、有用性が実証されている。例えば特許文献１に記載のドリルチャックにおいては、締付スリーブとチャック躯幹体との間の相対回転によって締付あごを開放または閉鎖することができる。しかしながら、締付あごを開閉する際、ユーザーは締付スリーブをつかんで手でシフトさせなければならない。このことは好ましくないことが知られた。というのも、締め付けられるべきドリリング工具と、この調整スリーブとを、同時に手でつかまねばならないからである。
【先行技術文献】
【特許文献】
【０００３】
【特許文献１】ドイツ特許DE3920075C1（特開平03-35908）
【発明の概要】
【発明が解決しようとする課題】
【０００４】
そこで本発明の課題は、上記諸欠点を減らし、ユーザーにとって快適性を高めたドリリング装置を提供することである。
【課題を解決するための手段】
【０００５】
この課題は、本発明によれば冒頭で述べたようなドリリング装置において、以下により解決される。すなわち、ドリルチャックの締付あご保持体に相対回転不能に永続的に接続されたままとなっている調整スリーブを備え、この調整スリーブは、締付の配置構成と、ドリリングの配置構成との間の切替を行うべく軸方向に位置シフト可能である。ここで、締付の配置構成においては、調整スリーブが、相対回転不能に機械ハウジングに接続されて締付あごの位置・姿勢のシフトを可能にし、ドリリングの配置構成においては、ドリリングスピンドルが、締付あご保持体に、相対回転不能に連結される。
【図面の簡単な説明】
【０００６】
【図１】本発明によるドリリング装置の第１の実施形態について、締付の配置構成にて示す中心軸に沿った断面図である。
【図２】図１の実施形態のドリリング装置について、ドリリングの配置構成にて示す、図１と同様の断面図である。
【図３】図２のIII-III線に沿った断面図である。
【図４】第２の実施形態について示す、図１と同様の断面図である。
【図５】安全クラッチの一例を示す、中心軸に垂直の断面図である。
【発明を実施するための形態】
【０００７】
上述のように調整スリーブの単純な位置シフトによって締付の配置構成とドリリングの配置構成との間で切換えを行うことができる。ここで、締付の配置構成において、ドリリング機械の駆動部が作動されたならば、締付あご保持体が調整スリーブを介して機械ハウジングと相対回転不能に接続されているので、ドリリングスピンドルと締付あご保持体との間で相対回転が生じる。そして、これにより、駆動部の動作方向に応じて、締付あごが開放または閉鎖される。すなわち、本発明に係るドリリング装置のユーザーには、締め付けるべきドリリング工具をしっかり保持して、ドリリング機械の駆動部を作動することだけが求められる。ドリリングの配置構成において、ドリリングスピンドルが締付あご保持体と相対回転不能に連結されており、これにより締付あごの偶発的な緩みや開放は阻止されている。ここで、本発明の枠内において、ドリリングスピンドルと締付あご保持体との間の連結は、直接的に行われること、及び、調整スリーブを介して間接的に行われることのいずれも想定されている。
【０００８】
次のようであると特に好ましいことが知られた。すなわち、締付あご保持体における、駆動部の側の端面には、少なくとも１つの凹部が設けられており、調整スリーブに端面には、これに対応して、特には、形状および数の点で一致またはほぼ一致するように、少なくとも１つの突部が備えられる。そして、これらの凹部と突部とが、噛み合いまたは嵌め合い（形状拘束）により、回転伝動接続を、締付の配置構成であるかドリリングの配置構成であるかにかかわらず、形成したままとなっている。このようであることにより、調整スリーブと、ドリルチャックの締付あご保持体との間の、相対回転不能な永続的連結が、シンプルな方式にて効果的に実現できる。調整スリーブの軸方向の位置シフトは、ある軸方向領域内でのみ行われるのであり、締付あご保持体と調整スリーブとの間での伝動接続を維持すべく、突部は常に凹部と噛み合ったままである。ここで、調整スリーブに形成される少なくとも１つの突部について、横方向から動きを規制する突き当て面が、互いに平行ないことも好ましいことが知られた。突き当て面が、特には、中心軸を向くように配置されているならば、調整スリーブと、締付あご保持体との間での回転モーメントの伝達は最適化される。
【０００９】
次のようであると好ましいことも知られた。すなわち、ドリリングスピンドルの外周面の側に係止歯切部が備え付けられて（ドリリングスピンドルの外周面、またはこれに組みつけられる部材の外周面に係止歯切部が設けられる、以下、同様）おり、ドリリングの配置構成において、調整スリーブに内周面の側に備え付けられた歯切部との噛み合い（嵌め合いを含む。以下、同様。）による回転伝動接続（形状拘束）をなすのであると好ましいことも知られた。このような係止歯切部は、容易かつシンプルな具合にに製造することができる。このことは、ドリリングスピンドルの製造コストの面で好ましく、本発明に係るドリルチャック全体の製造コストの面でも好ましい。しかし、ドリリング装置の組立て時に係止歯切部を別個の部材に設けて、ドリリングスピンドルに圧入するか、またはその他の方法により、ドリリングスピンドルに、相対回転不能に接続させることも本発明の枠内で想定されている。なお、本発明における歯切り部などは、特には、スプライン、セレーションなどの軸方向に延びる溝及び突起の構造によって設けることができる。
【００１０】
調整スリーブを、締付の配置構成からドリリングの配置構成へとシフトさせるための弾性部材が備えられていることも、本発明に係るドリルチャックの機能や作動の信頼性にとって好ましい。この弾性部材により、締付の配置構成からドリリングの配置構成への調整スリーブのシフトは、弾性部材によって常にアシストされている。そのため、特には、締付あごが偶発的に位置シフトを起こすことがないようになっている。それに加えて、ドリリングスピンドルが係止歯切部を有する場合に、弾性部材が提供する決定的利点は、次のとおりである。調整スリーブを締付の配置構成からドリリングの配置構成へとシフトさせた際、ドリリングスピンドルの係止歯切部と、調整スリーブに備え付けられた歯切部とが重なり合う位置にないならば、ドリリングスピンドルを始動させた際に、調整スリーブは緊張状態の弾性部材によって自動的に軸方向に位置シフトされる。そして、これにより、ドリルチャックのチャック躯幹体が、ドリリングスピンドルに相対回転不能に接続する。なお、弾性部材は、例えば、コイルバネまたはその他のバネにより設けることができる。
【００１１】
締付の配置構成において、調整スリーブと機械ハウジングとの間に安全クラッチが備えられるのも特に好ましい。この安全クラッチによって、締付あごの締付モーメント並びに締付解除モーメントについて、簡単かつ効果的に上限を設定することができる。これにより特には、きわめて硬い締付エッジによる被締付工具の破壊または締付エッジ自体の破壊を生じるような過度に強い締付力は避けられる。また、締付あごを後退させた際、締付あごが、締付あご保持体内に噛み込むといたことも効果的に防止される。噛み込みが生じると、場合によっては、締付がもはや可能でなくなり、こうしてドリリング装置がもはや利用可能でなくなることもある。これに関連して、次のようであっても特に好ましいことが知られた。すなわち、安全クラッチが、半径方向に作動するカム面などを有するカップリングスリーブによって形成されており、このカップリングスリーブが、少なくとも１つの係止着座部を外周面側に有しており、この係止着座部は、戻し部材の力に抗して半径方向外方に位置シフト可能な係合部材を受け入れるためのものである。本発明の枠内で、好ましくは、係合部材が、シリンダー状（円柱形または円筒形）のカップリングローラとして形成される。このようであると、安全クラッチを、シンプルな方式にて安価に製造することができる。一方、係合部材の数を係止着座部の数に一致させることが、有用であることが確かめられた。
【００１２】
本発明の枠内で、戻し部材が板状または棒状のバネ部材によって形成されていることも好ましいことが知られた。例えばバネ鋼から形成しておくことのできる、この板状または棒状のバネ部材は、係合部材を受け入れる溝または凹部を有することができる。好適な材料選択によって、特には、安全クラッチの長寿命性と弾性変形性を確実なものとすることができる。これと関連して、カップリングモーメントを高めるために、係止部材とは逆側の、板状または棒状のバネ部材の面に、樹脂部材をあてがって補強することができる。この樹脂部材は、好ましくはゴム部材、特には加硫により硬化したゴム部材であるが、その他のポリマーからなるものであっても良い。このような樹脂部材により、シンプルであって、かつコスト面で有利な方式でもって、半径方向の安全クラッチのカップリングモーメントを高めることができる。一具体例において、各バネ部材と、各バネ部材が嵌め込まれる部材との間の空間を、加硫ゴムなどの弾性樹脂部材で埋めて、この弾性樹脂部材が、軸方向にのみ開放されて変形可能とすることができる。また、別の具体例において、加硫ゴム等の樹脂部材を、係止部材の受入箇所と、バネ部材が嵌め込まれる部材との間に挟まれる領域にのみ設けることもできる。
【００１３】
カップリングスリーブの内周面の側にカップリング歯切り部が備え付けられ、このカップリング歯切り部が、調整スリーブの外周面の側に備え付けられた外向き歯切り部に、回転不能に連結されるならば、特に好ましいことが知られた。このようであると、カップリングスリーブを、シンプルで効率的な方式により、安全クラッチに連結することができる。しかしながら、本発明の枠内において、調整スリーブとカップリングスリーブとを、別の方式の噛み合わせ（形状拘束）によって、相互に接続することも想定されている。本発明における歯切り部は、特には、スプライン、セレーションなどの軸方向に延びる溝及び突起の構造によって設けることができる。調整スリーブが、好ましくは機械部ハウジングに備え付けられている制御スリーブに連結されている制御ワイヤを介して、軸方向に位置シフト可能であるようにするならば、やはり好ましい。このようであると、シンプルで効果的な方式にて、制御スリーブの位置・姿勢のシフトによって、調整スリーブを軸方向に、ドリリングの配置構成と締付の配置構成との間で位置シフトさせることができる。ここで、本発明の枠内において、制御スリーブの位置・姿勢のシフトは、半径方向に、したがって回転方向に行うことができ、また、軸方向に行うこともでき、これらの方向の位置シフトの組合せとすることもできる。
【００１４】
チャック躯幹体をドリリングスピンドルと一体に形成して得られる利点として、本発明に係るドリリング装置のトップヘビーが軽減される。すなわち、ヘッド部の過重負荷や不安定性が生じるおそれを軽減することができる。しかも、極めて小型のドリリング装置を得ることができる。
【００１５】
機械ハウジングに備え付けられた受入部内にドリルチャックが受け入れられており、ドリルチャックの外周面が、受入部の内周面から離間しているということも好ましいことが知られた。受入部は、ドリリング装置の回転部品からユーザーを保護するのに役立つ。本発明の枠内で、受入部は、軸方向にドリルチャックの全長にわたって延びることも想定さている。これに関連して、ドリルチャックにおける、機械ハウジングに対して回転する部分が、ドリリングスピンドルを介して支持されているのであっても、好ましいことが知られた。このようであると、シンプルな方式及び方法でもって、ドリリング装置を、従来のドリリング機械とともに用いることができ、コストや手間のかかる、機能や作動についての改造や変更を行っておく必要がない。
【００１６】
以下、図面に示した実施例により、本発明を詳しく説明する。
【００１７】
図１には、本発明の特に好ましい実施形態のドリリング装置１について、締付の配置構成にて示す縦断面図である。このドリリング装置１に備えられるチャック躯幹体２は、ドリルチャック３の一部であり、ドリリングスピンドル４を介して、ドリリング機械６の駆動部５と連結されている。ドリルチャック３には、さらに、締付あご保持体７が備えられる。締付あご保持体７中には、複数の締付あご１０が案内されて保持され、チャック躯幹体２と連れ動かし具９との間のネジ接続８によって位置・姿勢をシフト可能となっている。チャック躯幹体２は、相対回転不能にドリリングスピンドル４に接続されている。ドリルチャック３は、ドリリングスピンドル４を介して、ドリリング機械６の機械ハウジング１１に取り付けられており、機械ハウジング１１に備え付けられた受入部１２内に受け入れられている。ユーザーを保護するのに役立つこの受入部１２は、ドリルチャック３の外面を受入部１２の内面から離間させるように形成されている。締付あご保持体７に備え付けられた調整スリーブ１３が、この締付あご保持体と相対回転不能に接続されている。この調整スリーブは、図１に示す締付の配置構成と、図２に示すドリリングの配置構成との間の切替を行うべく、軸方向に位置シフト可能である。調整スリーブ１３を、相対回転不能に締付あご保持体７に連結すべく、締付あご保持体７における駆動部５の側の端面に凹部１４が備えられ、調整スリーブ１３に形成された突部１５が、これらの凹部に噛み合う。締付の配置構成において、調整スリーブ１３は、軸方向に駆動部５の側へと位置シフトがなされた状態となっている。この際、調整スリーブ１３は、外向き歯切部１６を介して、機械ハウジング１１に備え付けられた安全クラッチ１７に、摩擦接続（力拘束）により、相対回転不能に接続されている。安全クラッチ１７は、半径方向へとクラッチ作用のための押し動かしが行われるものであり、次のように構成されている。安全クラッチ１７における、カップリングスリーブ１８の内周面の側に設けられたカップリング歯切部１９が、調整スリーブ１３の外周面の側に備え付けられた外向き歯切部１６に噛み合っている。安全クラッチ１７における、カップリングスリーブ１８の外周面の側には、各１つの係合部材２３を受け入れるための複数の係止着座部２０が備えられる。ここで、板状または棒状のバネ部材２１として形成された戻し部材２２の力に抗して、係合部材２３が半径方向に位置シフト可能となっている。なお、係止着座部２０は、特には、カップリングスリーブ１８の外周面、または、これに嵌められる部材の外周面に、好ましくは断面が円弧状または湾曲状の凹陥部として設けられる。また、図示の実施例において、係合部材２３は、シリンダー状（円柱形または円筒形）のカップリングローラ２４として形成されている。
【００１８】
締付の配置構成とドリリングの配置構成との間で調整スリーブ１３を位置シフトさせるべく、公知の方式にて、機械ハウジング１１に直接または間接に取り付けられた制御スリーブ２５が備えられる。この制御スリーブ２５は、制御ワイヤ２６によって調整スリーブと連結されており、これにより、調整スリーブ１３を軸方向に位置シフトさせるのに用いられる。すなわち、図１と図２との比較から知られるように、例えば、調整スリーブ１３の内周面の側に取り付けられた制御ワイヤ２６と、これが受け入れられる、調整スリーブ１３の外周面の溝とが、周方向に沿って軸方向の位置が変化していくように設けられている。そして、制御スリーブ２５を手でつかんで回転させたならば、調整スリーブ１３が軸方向に位置シフトされて、図１の状態と、図２の状態との間で切替が行われるのである。締付の配置構成において駆動部５が作動されると、ドリリングスピンドル４と締付あご保持体７との間で相対回転が生じる。ここで、締付あご保持体７は、安全クラッチ１７に連結された調整スリーブ１３を介して、機械ハウジング１１に、相対回転不能に接続されている。ドリリングスピンドル４と、複数の締付あご１０を案内する締付あご保持体７との相対回転により、連れ動かし具９と、ドリリングスピンドル４に相対回転不能に接続されたチャック躯幹体２との間でも相対回転が生じる。すると、締付あご１は、連れ動かし具９により軸方向から支持され、締付あご保持体７内に案内されているので、同様に軸方向に位置シフトを行うとともに、半径方向にも位置シフトを行う。つかみ及び締付けの際、締付あご１０が不図示の締め付けられるべき工具に突き当たったならば、安全クラッチ１７に予め設定された締付モーメントを上回ったときに、安全クラッチ１７が作動して動力伝達が解除される。カップリングローラ２４は、係止着座部２０から板状または棒状のバネ部材２１に抗して半径方向外方に位置シフトされ、これにより、カップリングスリーブ１８との伝動連結が解除される。つかみ及び締付の際、カップリングスリーブ１８と、これに接続された調整スリーブ１３とを介して、締付あご保持体７も回転されるが、最大締付力に到達した後には締付あご１０のさらなる締付が阻止されるのである。駆動部５の回転方向が切り替えられた際、すなわち、つまり締付あごを開いていく際、安全クラッチ１７に予め設定された締付解除モーメントに到達した後にも、上述の場合と同様に、安全クラッチ１７が作動して動力伝達が解除される。締付解除及び開放の際、カップリングスリーブ１８と、これに接続された調整スリーブ１３とを介して、締付あご保持体７も回転されるのであるが、最大の締付解除モーメントに到達した後には、締付あご１０のさらなる位置シフトが起きることはない。
【００１９】
ドリリングスピンドル４に係止歯切部２７が形成されている。この係合歯切部２７は、ドリリングスピンドル４と、調整スリーブ１３に備え付けられた歯切部２８とを互いに回転不能に連結するのに役立ち、このようにして、ドリリングの配置構成において、締付あご保持体７と、ドリリングスピンドル４との間の相対回転を防止するのに役立つ。締付の配置構成において、調整スリーブ１３は、弾性部材２９によりバネ力を受けている。図示の実施例において、この弾性部材２９は、コイルバネであり、また、駆動部５に備え付けられた遊星歯車伝動機構３１の遊星支持体３０に支持されている。また、弾性部材２９は、締付の配置構成において、調整スリーブ１３を軸方向に締付の配置構成からドリリングの配置構成へと位置シフトさせる力を、調整スリーブ１３に常時、加え続ける。このことは、次のようであれば、特に好ましい。すなわち、手作業により調整スリーブ１３を操作した際、ドリリングスピンドル４の外周面の側に形成されている係止歯切部２７が、調整スリーブ１３の歯切部２８と、軸方向位置において、重なり合う位置にないというのであれば、特に好ましい。駆動部５を始動させた際、調整スリーブ１３は、弾性部材２９の作用によってドリリングスピンドル４の係止歯切部２７に滑り込む。このようにして、ドリリングスピンドル４が、相対回転不能に締付あご保持体７に連結されるのである。
【００２０】
図２に示すドリリングの配置構成においては、調整スリーブ１３が、軸方向に締付あご１０の側へと位置シフトされた状態となっており、調整スリーブ１３の歯切部２８が、ドリリングスピンドル４の外周面の側に備え付けられた係止歯切部２７に噛み合っている。このように、ドリリングの配置構成においては、締付あご保持体７が、調整スリーブ１３を介して、相対回転不能にドリリングスピンドル４に接続されている。このとき、ドリリングスピンドル４が駆動部５によって回転駆動されると、締付あご保持体７も回転駆動される。このようであるため、ドリリングスピンドル４と締付あご保持体７との間で相対回転は起きることがなく、このことから、締付あご１０の位置シフトが生じることはない。
【００２１】
図３には、図２のIII-III断面に沿った断面を示している。図３には、特には、締付あご保持体７に形成された凹部１４と、これらの凹部１４に形状および数の点で一致するかまたは対応するように調整スリーブ１３に形成された突部１５とについて、配置及び形状を示す。調整スリーブ１３の突部は、締付あご保持体７の凹部１４と噛み合い、こうして、調整スリーブ１３と締付あご保持体７との間に永続的な噛み合い（形状拘束）による回転伝動接続を形成する。また、締付あご保持体７に対する、調整スリーブ１３の軸方向の位置シフトを可能にする。図３からさらに知られるように、各突部１５を横方向から規制する突き当て面３２は、互いに平行に向けられているのでなく、回転モーメントの伝達を最適化するために、調整スリーブ１３と締付あご保持体７との間で、これらの中心軸に向かって延びている。また、図３から知られるように、ドリルチャック３の外周面は、受入部１２の内周面から、半径方向に離間している。
【００２２】
図４には、本発明に係るドリリング装置１の他の実施形態を示す。ここではチャック躯幹体２が、ドリリングスピンドル４と一体に形成されている。図示の実施例において、係止歯切部２７は切替部材３３に備え付けられている。この切替部材３３は、別個の部材として具現されており、ドリリングスピンドル４に、相対回転不能かつ軸方向シフト不能に連結されている。係止歯切部２７が備え付けられる切替部材３３は、切替部材３３の壁体と、ドリリングスピンドル４との間に、締付あご保持体７を受け入れ可能なように、底の中心が空いた円筒カップ状に設けられている。
【００２３】
以下に、本発明のドリリング装置１の作動方式につき再度説明する。図１に示す締付の配置構成において、調整スリーブ１３は、半径方向から、安全クラッチ１７を介して機械ハウジング１１に接続されている。駆動部５が作動されると、ドリリングスピンドル４と調整スリーブ１３との間で相対回転が生じる。すると、連れ動かし具９とチャック躯幹体２とからなるスピンドル駆動部によって、駆動部５の回転方向に応じて、締付あご保持体７内に案内された締付あご１０を開放または閉鎖することができる。制御スリーブ２５を操作することで、調整スリーブ１３が制御ワイヤ２６により軸方向に位置シフトされて、半径方向の安全クラッチ１７との噛み合いから外れる。すると、調整スリーブ１３について、歯切部２８と係止歯切部２７との間の歯切部噛み合いを介して、ドリリングスピンドル４に噛み合わせることができる。ドリリング装置１はいまや図２に示したドリリングの配置構成にある。締付あご保持体７と、ドリリングスピンドル４との連結によって、これらの部材の間の相対回転が阻止されており、これにより締付あご１０に偶発的な緩みや締付解除が行われることがないようになっている。
【符号の説明】
【００２４】
１…ドリリング装置；    ２…チャック躯幹体；    ３…ドリルチャック；  
４…ドリリングスピンドル；    ５…駆動部；    ６…ドリリング機械；  
７…締付あご保持体；    ８…ネジ接続；    ９…連れ動かし具；  
１０…締付あご；    １１…機械ハウジング；    １２…受入部；  
１３…調整スリーブ；    １４…凹部；    １５…突部；  
１６…外向き歯切部；    １７…安全クラッチ；  
１８…カップリングスリーブ；    １９…カップリング歯切部；  
２０…係止着座部；      ２１…板状または棒状のバネ部材；    
２２…戻し部材；    ２３…係合部材；      ２４…カップリングローラ；  
２５…制御スリーブ；    ２６…制御ワイヤ；    ２７…係止歯切部；    
２８…歯切部；    ２９…弾性部材；    ３０…遊星支持体；    
３１…遊星歯車伝動機構；    ３２…突き当て面；    ３３…切替部材；  
【図１】
2015003385.tif 000003
【図２】
2015003385.tif 000004
【図３】
2015003385.tif 000005
【図４】
2015003385.tif 000006
【図５】
2015003385.tif 000007